(57)【要約】【課題】コミュニティのウェブサイトの管理の利便性向上を目的とする。【解決手段】管理サーバ１０は、編集端末７０から編集者の識別子である編集者ＩＤを受け付けると、ウェブサイトに含まれるリンク情報のうち、受け付けられた編集者ＩＤに対して編集権限が与えられたリンク情報を編集対象として表示する。管理サーバ１０は、表示された編集対象からリンク情報が選択されると、選択されたリンク情報に対する編集を行うＧＵＩ（Ｇｒａｐｈｉｃａｌ  Ｕｓｅｒ  Ｉｎｔｅｒｆａｃｅ）画面を編集端末７０に表示して、編集者にリンク情報を編集させる。【選択図】図１
2018180661.tif 000002
【特許請求の範囲】
【請求項１】
コミュニティの居宅に設置された居宅端末からアクセスされるウェブサイトを管理する管理サーバであり、
編集者の識別子である編集者ＩＤを受け付ける識別子受付部と、
前記ウェブサイトに含まれるリンク情報のうち、前記識別子受付部によって受け付けられた編集者ＩＤに対して編集権限が与えられたリンク情報を編集対象として表示する編集対象表示部と、
前記編集対象表示部によって表示された編集対象からリンク情報が選択されると、選択されたリンク情報に対する編集を行うＧＵＩ（Ｇｒａｐｈｉｃａｌ  Ｕｓｅｒ  Ｉｎｔｅｒｆａｃｅ）画面を表示するＧＵＩ表示部と
を備える管理サーバ。
【請求項２】
前記リンク情報は、複数のカテゴリのうちの少なくともいずれかのカテゴリに属しており、
複数の組織は、それぞれ、複数のカテゴリのうちのいずれかのカテゴリに対応しており、
前記管理サーバは、さらに、
前記編集者ＩＤ毎に編集権限が与えられた組織を記憶した組織権限記憶部を参照して、前記識別子受付部によって受け付けられた編集者ＩＤに対して編集権限が与えられた組織を特定し、特定された組織に対応するカテゴリに属するリンク情報を特定する権限判定部
を備え、
前記編集対象表示部は、前記権限判定部によって特定されたリンク情報を前記編集対象として表示する
請求項１に記載の管理サーバ。
【請求項３】
前記リンク情報は、複数のカテゴリのうちの少なくともいずれかのカテゴリに属しており、
複数の組織は、それぞれ、複数のカテゴリのうちのいずれかのカテゴリに対応しており、
前記管理サーバは、さらに、
前記編集者ＩＤ毎に編集権限が与えられた組織を記憶した組織権限記憶部を参照して、前記識別子受付部によって受け付けられた編集者ＩＤに対して編集権限が与えられた組織を特定し、特定された組織に対応し、かつ、前記編集者ＩＤに対して編集権限が与えられたカテゴリを特定する権限判定部
を備え、
前記編集対象表示部は、前記権限判定部によって特定されたリンク情報を前記編集対象として表示する
請求項１に記載の管理サーバ。
【請求項４】
前記居宅端末は、複数のグループのうちの少なくともいずれかのグループに属しており、
前記複数のグループは、それぞれ、複数の組織のうちの少なくともいずれかの組織に属しており、
前記管理サーバは、さらに、
前記居宅端末から前記ウェブサイトの表示依頼を受け付ける依頼受付部と、
前記依頼受付部が前記表示依頼を受け付けると、前記居宅端末が属するグループが属する組織を特定し、特定された組織に対応するカテゴリを特定するカテゴリ特定部と、
前記カテゴリ特定部によって特定されたカテゴリを示すカテゴリ情報を前記居宅端末に送信して、送信されたカテゴリ情報が示すカテゴリを示した前記ウェブサイトを表示装置に表示させるサイト表示部と
を備える請求項２又は３に記載の管理サーバ。
【請求項５】
前記サイト表示部は、表示されたいずれかのカテゴリの指定を前記居宅端末から受け付けると、指定されたカテゴリに属するリンク情報を前記居宅端末に送信して、送信されたリンク情報を示した前記ウェブサイトを表示させる
請求項４に記載の管理サーバ。
【請求項６】
前記管理サーバは、さらに、
表示されたいずれかのリンク情報が指定された場合に、指定されたリンク情報を、前記居宅端末の識別子である端末ＩＤと関連付けて記憶するアクセス記憶部
を備える請求項５に記載の管理サーバ。
【請求項７】
前記管理サーバは、さらに、
前記権限判定部によって特定されたリンク情報とともに、そのリンク情報に関連付けて前記アクセス記憶部に記憶された端末ＩＤを表示するアクセス表示部
を備える請求項６に記載の管理サーバ。
【請求項８】
前記依頼受付部は、前記居宅端末とペアリングされた外部端末から前記ウェブサイトの表示依頼を受け付け、
前記カテゴリ特定部は、前記外部端末とペアリングされた前記居宅端末が属するグループが属する組織を特定し、特定された組織に対応するカテゴリを特定し、
前記サイト表示部は、前記カテゴリ特定部によって特定されたカテゴリを示すカテゴリ情報を前記外部端末に送信して、送信されたカテゴリ情報が示すカテゴリを示した前記ウェブサイトを表示装置に表示させる
請求項４から７までのいずれか１項に記載の管理サーバ。
【請求項９】
前記サイト表示部は、前記依頼受付部が前記表示依頼を前記居宅端末から受け付けたか、前記外部端末から受け付けたかに応じて、形式の異なる前記カテゴリ情報を送信する
請求項８に記載の管理サーバ。
【請求項１０】
コミュニティの居宅に設置された居宅端末からアクセスされるウェブサイトを管理する管理プログラムであり、
編集者の識別子である編集者ＩＤを受け付ける識別子受付処理と、
前記ウェブサイトに含まれるリンク情報のうち、前記識別子受付処理によって受け付けられた編集者ＩＤに対して編集権限が与えられたリンク情報を編集対象として表示する編集対象表示処理と、
前記編集対象表示処理によって表示された編集対象からリンク情報が選択されると、選択されたリンク情報に対する編集を行うＧＵＩ画面を表示するＧＵＩ表示処理と
をコンピュータに実行させる管理プログラム。
【発明の詳細な説明】
【技術分野】
【０００１】
この発明は、集合住宅といったコミュニティのウェブサイト管理に関する。
【背景技術】
【０００２】
コミュニティには、共有設備の利用情報といったコミュニティの情報を居住者が容易に参照できるように、ウェブサイトが用意されていることがある。
コミュニティのウェブサイトには、コミュニティの情報以外にも、コミュニティの周辺のショッピングモールといった外部の企業等のウェブサイトへのリンク情報と、外部の企業等が提供するアプリケーションへのリンク情報が掲載される。
【０００３】
これまでは、コミュニティのウェブサイトに掲載される外部の企業等のリンク情報を編集する場合には、まず外部の企業等においてウェブサイトを担当している外部担当者が編集内容をウェブサイトの管理者に伝えた。そして、コミュニティのウェブサイトの管理者は、伝えられた編集内容に基づき、ＳＱＬ（Ｓｔｒｕｃｔｕｒｅｄ  Ｑｕｅｒｙ  Ｌａｎｇｕａｇｅ）等を駆使して、外部情報を更新していた。
【０００４】
特許文献１には、操作担当者毎にサーバへのアクセス権を設定しておき、アクセス権があるサーバへの操作担当者の操作を許可することが記載されている。
【先行技術文献】
【特許文献】
【０００５】
【特許文献１】特開２０１６−１１５２３８号公報
【発明の概要】
【発明が解決しようとする課題】
【０００６】
コミュニティのウェブサイトは、１台といった少数のサーバで実現される場合がある。そのため、外部情報毎に異なるサーバが割り当てられるとは限らず、特許文献１に記載された方法では、十分なアクセス制御ができない。
この発明は、コミュニティのウェブサイトの管理の利便性向上を目的とする。
【課題を解決するための手段】
【０００７】
この発明に係る管理サーバは、
コミュニティの居宅に設置された居宅端末からアクセスされるウェブサイトを管理する管理サーバであり、
編集者の識別子である編集者ＩＤを受け付ける識別子受付部と、
前記ウェブサイトに含まれるリンク情報のうち、前記識別子受付部によって受け付けられた編集者ＩＤに対して編集権限が与えられたリンク情報を編集対象として表示する編集対象表示部と、
前記編集対象表示部によって表示された編集対象からリンク情報が選択されると、選択されたリンク情報に対する編集を行うＧＵＩ（Ｇｒａｐｈｉｃａｌ  Ｕｓｅｒ  Ｉｎｔｅｒｆａｃｅ）画面を表示するＧＵＩ表示部と
を備える。
【発明の効果】
【０００８】
この発明では、編集権限があるリンク情報に対する編集を行うＧＵＩ画面を表示する。そのため、ＳＱＬ等の専門的な知識がない外部担当者が直接ウェブサイトにおけるリンク情報を編集することが可能である。その結果、コミュニティのウェブサイトの管理の利便性が向上する。
【図面の簡単な説明】
【０００９】
【図１】実施の形態１に係る住宅管理システム１の構成図。
【図２】実施の形態１に係る管理サーバ１０の構成図。
【図３】実施の形態１に係るサイト記憶部１３１に記憶される情報を示す図。
【図４】実施の形態１に係るカテゴリ権限記憶部１３２に記憶される情報を示す図。
【図５】実施の形態１に係る組織権限記憶部１３３に記憶される情報を示す図。
【図６】実施の形態１に係る組織グループ記憶部１３４に記憶される情報を示す図。
【図７】実施の形態１に係る組織カテゴリ記憶部１３５に記憶される情報を示す図。
【図８】実施の形態１に係るグループ端末記憶部１３６に記憶される情報を示す図。
【図９】実施の形態１に係る情報間の関係の説明図。
【図１０】実施の形態１に係る情報間の関係の例を示す図。
【図１１】実施の形態１に係る編集処理のフローチャート。
【図１２】実施の形態１に係るＧＵＩ画面８５の説明図。
【図１３】実施の形態１に係る表示処理のフローチャート。
【図１４】実施の形態１に係る表示処理の説明図。
【図１５】実施の形態１に係るカテゴリ８１を示したウェブサイト８０の表示例を示す図。
【図１６】実施の形態１に係るカテゴリ８１及びリンク情報８２を示したウェブサイト８０の表示例を示す図。
【図１７】変形例１に係る管理サーバ１０の構成図。
【図１８】実施の形態２に係る管理サーバ１０の構成図。
【図１９】実施の形態２に係るアクセス記憶部１３７に記憶される情報を示す図。
【図２０】実施の形態２に係る表示処理のフローチャート。
【図２１】実施の形態２に係る履歴参照処理のフローチャート。
【図２２】実施の形態３に係る表示処理のフローチャート。
【発明を実施するための形態】
【００１０】
実施の形態１．
＊＊＊構成の説明＊＊＊
図１を参照して、実施の形態１に係る住宅管理システム１の構成を説明する。
住宅管理システム１は、管理サーバ１０と、集合住宅といったコミュニティ内の居宅に設置された居宅端末３０及び表示装置６０と、ＰＣ（Ｐｅｒｓｏｎａｌ  Ｃｏｍｐｕｔｅｒ）といった編集端末７０とを備える。図１では、居宅端末３０及び表示装置６０として、居宅Ｘに設置された居宅端末３０Ｘ及び表示装置６０Ｘと、居宅Ｙに設置された居宅端末３０Ｙ及び表示装置６０Ｙとが示されている。表示装置６０は、具体例としては、テレビである。
管理サーバ１０は、インターネットに接続されている。居宅に設置された居宅端末３０は、居宅に設置されたルータ５０を介してインターネットに接続されている。図１では、居宅端末３０Ｘがルータ５０Ｘを介してインターネットに接続され、居宅端末３０Ｙがルータ５０Ｙを介してインターネットに接続されている。編集端末７０は、インターネットに接続されている。したがって、管理サーバ１０と居宅端末３０と編集端末７０とは、インターネットを介して通信可能になっている。なおルータ５０は、有線ルータでも無線ルータでもよい。
【００１１】
図２を参照して、実施の形態１に係る管理サーバ１０の構成を説明する。
管理サーバ１０は、コミュニティ向けのサービスを提供するコンピュータである。管理サーバ１０は、コミュニティの管理会社、又は、管理会社が利用するデータセンターといった場所に設置される。
管理サーバ１０は、プロセッサ１１と、メモリ１２と、ストレージ１３と、通信インタフェース１４とのハードウェアを備える。プロセッサ１１は、信号線を介して他のハードウェアと接続され、これら他のハードウェアを制御する。
【００１２】
管理サーバ１０は、機能構成要素として、識別子受付部２１と、権限判定部２２と、編集対象表示部２３と、ＧＵＩ（Ｇｒａｐｈｉｃａｌ  Ｕｓｅｒ  Ｉｎｔｅｒｆａｃｅ）表示部２４と、依頼受付部２５と、カテゴリ特定部２６と、サイト表示部２７とを備える。管理サーバ１０の各機能構成要素の機能はソフトウェアにより実現される。
ストレージ１３には、管理サーバ１０の各機能構成要素の機能を実現するプログラムが記憶されている。このプログラムは、プロセッサ１１によりメモリ１２に読み込まれ、プロセッサ１１によって実行される。これにより、管理サーバ１０の各機能構成要素の機能が実現される。
【００１３】
また、ストレージ１３は、サイト記憶部１３１と、カテゴリ権限記憶部１３２と、組織権限記憶部１３３と、組織グループ記憶部１３４と、組織カテゴリ記憶部１３５と、グループ端末記憶部１３６との機能を実現する。サイト記憶部１３１と、カテゴリ権限記憶部１３２と、組織権限記憶部１３３と、組織グループ記憶部１３４と、組織カテゴリ記憶部１３５と、グループ端末記憶部１３６との各記憶部は、リレーショナルデータベースのテーブル等により実現される。つまり、各記憶部は、テーブルである。各記憶部は、テーブルに限らず、ファイルといった他の形式の情報であってもよい。
【００１４】
図３に示すように、サイト記憶部１３１には、コミュニティのウェブサイト８０を構成するカテゴリ８１及びリンク情報８２が含まれる。カテゴリ８１は、リンク情報８２の分類である。リンク情報８２は、ウェブサイトとアプリケーションといった情報のアクセス先を示す情報である。リンク情報８２は、例えば、ＵＲＬ（Ｕｎｉｆｏｒｍ  Ｒｅｓｏｕｒｃｅ  Ｌｏｃａｔｏｒ）である。リンク情報８２は、複数のカテゴリ８１のうちのいずれかのカテゴリ８１に属している。
【００１５】
図４に示すように、カテゴリ権限記憶部１３２には、編集者ＩＤ毎に、編集権限が与えられたカテゴリ８１が記憶される。編集者ＩＤは、編集端末７０を使用する編集者に割り当てられた識別子である。
【００１６】
図５に示すように、組織権限記憶部１３３には、編集者ＩＤ毎に、編集権限が与えられた組織８３が記憶される。組織８３は、ウェブサイト８０の情報の開示範囲を制限するための分類である。
【００１７】
図６に示すように、組織グループ記憶部１３４には、組織８３とグループ８４との対応関係が記憶される。各グループ８４は、複数の組織８３のうちの少なくともいずれかの組織８３に対応している。
【００１８】
図７に示すように、組織カテゴリ記憶部１３５には、組織８３とカテゴリ８１との対応関係が記憶される。各組織８３は、いずれかのカテゴリ８１に対応している。
【００１９】
図８に示すように、グループ端末記憶部１３６には、グループ８４毎に、そのグループ８４に属する居宅端末３０の識別子である端末ＩＤが記憶される。
グループ８４は、居宅端末３０の分類である。各居宅端末３０は、複数のグループ８４のうちのいずれかのグループ８４に属する。例えば、グループ８４は、集合住宅の街区、棟といった単位毎に割り当てられる。グループ８４が街区毎に割り当てられた場合には、ある街区に含まれる居宅に設置された居宅端末３０は、その街区に割り当てられたグループ８４に属する。
【００２０】
居宅端末３０とカテゴリ８１とリンク情報８２と組織８３とグループ８４との関係は、図９に示すようになる。つまり、居宅端末３０とグループ８４とは、多対１の関係である。グループ８４と組織８３とは、多対多の関係である。組織８３とカテゴリ８１とは、多対１の関係である。カテゴリ８１とリンク情報８２とは、１対多の関係である。なお組織８３とカテゴリ８１とは、多対多の関係であってもよい。
【００２１】
例えば、街区Ａにある居宅に居宅端末３０Ａと居宅端末３０Ｂとが設置されており、街区Ｂにある居宅に居宅端末３０Ｃが設置されているとする。また、街区Ａは、ＸＸ県のＹＹ町にあり、街区ＢはＸＸ県のＺＺ町にあるとする。また、組織としては、ＡＢＣモールのＸＸ県向けの組織ＸＡと、ＡＢＣモールのＹＹ町向けの組織ＹＡと、ＡＢＣモールのＺＺ町向けの組織ＺＡと、ＹＹ町住民向けの組織ＹＹと、ＺＺ町住民向けの組織ＺＺとがあるとする。また、カテゴリ８１としては、ＡＢＣモールのカテゴリＡＢＣと、ＹＹ町のカテゴリＹＹと、ＺＺ町のカテゴリＺＺとがあるとする。リンク情報８２としては、ＡＢＣモールのオンラインショップへのリンクＡと、ＡＢＣモールの企業のウェブサイトへのリンクＢと、ＹＹ町のウェブサイトへのリンクＹと、ＺＺ町のウェブサイトへのリンクＺとがあるとする。
この場合、例えば、図１０に示すようになる。居宅端末３０Ａと居宅端末３０ＢとがグループＡに属し、居宅端末３０ＣがグループＢに属する。グループＡは、ＡＢＣモールのＸＸ県向けの組織ＸＡと、ＡＢＣモールのＹＹ町向けの組織ＹＡと、ＹＹ町向けの組織ＹＹとに対応する。グループＢは、ＡＢＣモールのＸＸ県向けの組織ＸＡと、ＡＢＣモールのＺＺ町向けの組織ＺＡと、ＺＺ町向けの組織ＺＺとに対応する。
ＡＢＣモールのカテゴリＡＢＣは、ＡＢＣモールのＸＸ県向けの組織ＸＡと、ＡＢＣモールのＹＹ町向けの組織ＹＡと、ＡＢＣモールのＺＺ町向けの組織ＺＡとに対応する。ＹＹ町のカテゴリＹＹは、ＹＹ町住民向けの組織ＹＹに対応する。ＺＺ町のカテゴリＺＺは、ＺＺ町住民向けの組織ＺＺに対応する。
ＡＢＣモールのカテゴリＡＢＣには、ＡＢＣモールのオンラインショップへのリンクＡと、ＡＢＣモールの企業のウェブサイトへのリンクＢとが属する。ＹＹ町のカテゴリＹＹには、ＹＹ町のウェブサイトへのリンクＹが属する。ＺＺ町のカテゴリＺＺには、ＺＺ町のウェブサイトへのリンクＺが属する。
【００２２】
＊＊＊動作の説明＊＊＊
図１１から図１６を参照して、実施の形態１に係る住宅管理システム１の動作を説明する。
実施の形態１に係る住宅管理システム１の動作は、実施の形態１に係る管理方法に相当する。また、実施の形態１に係る住宅管理システム１の動作は、実施の形態１に係る管理プログラムの処理に相当する。
実施の形態１に係る住宅管理システム１の動作は、編集処理と、表示処理とを含む。
【００２３】
図１１を参照して、実施の形態１に係る編集処理を説明する。
（ステップＳ１１：ログイン処理）
識別子受付部２１は、編集端末７０から編集者の識別子である編集者ＩＤを受け付ける。
具体的には、識別子受付部２１は、編集者ＩＤとパスワードとの入力欄を示したログイン画面を編集端末７０に表示する。そして、識別子受付部２１は、編集端末７０が編集者によって操作されて入力された編集者ＩＤ及びパスワードを受け付ける。
なお、識別子受付部２１は、受け付けられた編集者ＩＤ及びパスワードに基づき認証を行う。つまり、識別子受付部２１は、編集者ＩＤとパスワードとの組合せが正しいか否かにより認証を行う。識別子受付部２１は、認証に成功した場合には処理をステップＳ１２に進め、認証に失敗した場合には処理を終了させる。
【００２４】
（ステップＳ１２：権限判定処理）
権限判定部２２は、組織権限記憶部１３３を参照して、ステップＳ１１で受け付けられた編集者ＩＤに対して編集権限が与えられた組織８３を特定する。
権限判定部２２は、組織カテゴリ記憶部１３５を参照して、特定された組織８３に対応して編集権限が与えられたカテゴリ８１を特定する。そして、権限判定部２２は、サイト記憶部１３１を参照して、特定されたカテゴリ８１に属するリンク情報８２を特定する。
なお権限判定部２２は、カテゴリ権限記憶部１３２を参照して、ステップＳ１１で受け付けられた編集者ＩＤに対して編集権限が与えられたカテゴリ８１を特定し、組織カテゴリ記憶部１３５を参照して特定された組織８３に対応し、かつ編集者ＩＤに対して編集権限が与えられたカテゴリ８１を特定するように構成してもよい。
【００２５】
（ステップＳ１３：編集対象表示処理）
編集対象表示部２３は、ウェブサイト８０に含まれるリンク情報８２のうち、ステップＳ１２で特定されたリンク情報８２を編集対象として編集端末７０に表示する。これにより、ステップＳ１１で受け付けられた編集者ＩＤに対して編集権限が与えられたリンク情報８２が編集対象として表示される。
【００２６】
（ステップＳ１４：ＧＵＩ表示処理）
ＧＵＩ表示部２４は、ステップＳ１３で表示された編集対象からリンク情報８２が選択されると、選択されたリンク情報８２に対する編集を行うＧＵＩ画面８５を編集端末７０に表示する。
具体的には、編集端末７０が編集者によって操作され、いずれかのカテゴリ８１が選択される。すると、ＧＵＩ表示部２４は、選択されたリンク情報８２に対する編集を行うＧＵＩ画面８５を表示する。
【００２７】
図１２に示すように、ＧＵＩ画面８５には、リンク種別と、ＵＲＬと、タイトルとの入力欄が設けられている。
リンク種別は、リンク情報８２がアクセス先として、ウェブサイトとアプリケーションとのどちらを示しているかの種別である。ＵＲＬは、ウェブサイト又はアプリケーションのアクセス先であるＵＲＬが設定される。タイトルは、ウェブサイト８０に表示されるリンク情報８２のタイトルである。
【００２８】
（ステップＳ１５：更新処理）
ＧＵＩ表示部２４は、ＧＵＩ画面８５に入力された情報により、サイト記憶部１３１に記憶された選択されたリンク情報８２を更新する。
【００２９】
図１３を参照して、実施の形態１に係る表示処理を説明する。
（ステップＳ２１：依頼受付処理）
依頼受付部２５は、居宅端末３０からコミュニティのウェブサイト８０の表示依頼を受け付ける。
具体的には、居宅端末３０の利用者が、居宅端末３０を操作してウェブサイト８０の表示ボタンを押す。すると、居宅端末３０は、表示依頼を管理サーバ１０に送信する。表示依頼には、居宅端末３０の識別子である端末ＩＤが含まれる。依頼受付部２５は、送信された表示依頼を受け付ける。
【００３０】
（ステップＳ２２：カテゴリ特定処理）
カテゴリ特定部２６は、グループ端末記憶部１３６を参照して、ステップＳ２２で受け付けられた表示依頼に含まれる端末ＩＤに基づき、居宅端末３０が属するグループ８４を特定する（図１４の（１））。カテゴリ特定部２６は、組織グループ記憶部１３４を参照して、特定されたグループ８４が属する組織８３を特定する（図１４の（２））。カテゴリ特定部２６は、組織カテゴリ記憶部１３５を参照して、特定された組織に対応するカテゴリ８１を特定する（図１４の（３））。
【００３１】
（ステップＳ２３：サイト表示処理）
サイト表示部２７は、ステップＳ２２で特定されたカテゴリ８１を示すカテゴリ情報を居宅端末３０に送信する。これにより、図１５に示すように、サイト表示部２７は、送信されたカテゴリ情報が示すカテゴリ８１を示したウェブサイト８０を表示装置６０に表示させる。
また、サイト表示部２７は、表示されたいずれかのカテゴリ８１が選択されると、サイト記憶部１３１を参照して、選択されたカテゴリ８１に属するリンク情報８２を特定する（図１４の（４））。そして、サイト表示部２７は、特定されたリンク情報８２を居宅端末３０に送信する。これにより、図１６に示すように、サイト表示部２７は、送信されたリンク情報８２を表示装置６０に表示させる。
【００３２】
＊＊＊実施の形態１の効果＊＊＊
以上のように、実施の形態１に係る住宅管理システム１では、編集権限があるリンク情報に対する編集を行うＧＵＩ画面を表示して、編集者に編集させる。そのため、ＳＱＬ等の専門的な知識がない外部担当者が直接ウェブサイト８０におけるリンク情報を編集することが可能である。
【００３３】
特に、実施の形態１に係る住宅管理システム１では、カテゴリ権限記憶部１３２と組織権限記憶部１３３とに基づき、編集権限を管理する。これにより、コミュニティのウェブサイト８０に適した、きめ細かな編集権限の管理が可能である。
【００３４】
＊＊＊他の構成＊＊＊
＜変形例１＞
実施の形態１では、図１３に示すように居宅端末３０からウェブサイト８０の表示依頼を受け付けると、管理サーバ１０は居宅端末３０により特定されるカテゴリ情報を居宅端末３０に送信していた。しかし、変形例１として居宅端末３０のストレージに以前特定されたカテゴリ情報やリンク情報９２を記憶しておき、それらを表示するように構成することができる。つまり、管理サーバ１０とのインターネット回線が何らの原因により接続されていないとき、または管理サーバ１０が何らかの原因により動作していないとき、居宅端末３０は居宅端末３０のストレージに記憶された過去の履歴情報に基づき、ウェブサイト８０を表示するように構成することができる。
よってウェブサイト８０として表示される情報には、管理サーバ１０とオンラインで管理サーバ１０から取得されるカテゴリ情報やリンク情報９２とともに、管理サーバ１０とオフラインで居宅端末３０のストレージから取得されるカテゴリ情報やリンク情報９２も含む。
＜変形例２＞
実施の形態１では、各機能構成要素がソフトウェアで実現された。しかし、変形例１として、各機能構成要素はハードウェアで実現されてもよい。この変形例１について、実施の形態１と異なる点を説明する。
【００３５】
図１７を参照して、変形例１に係る管理サーバ１０の構成を説明する。
各機能構成要素がハードウェアで実現される場合には、管理サーバ１０は、プロセッサ１１とメモリ１２とストレージ１３とに代えて、処理回路１５を備える。処理回路１５は、各機能構成要素と、メモリ１２とストレージ１３との機能とを実現する専用の電子回路である。
【００３６】
処理回路１５は、単一回路、複合回路、プログラム化したプロセッサ、並列プログラム化したプロセッサ、ロジックＩＣ（Ｉｎｔｅｇｒａｔｅｄ  Ｃｉｒｃｕｉｔ）
、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
各機能構成要素を１つの処理回路１５で実現してもよいし、各機能構成要素を複数の処理回路１５に分散させて実現してもよい。
【００３７】
＜変形例３＞
変形例２として、一部の各機能構成要素がハードウェアで実現され、他の各機能構成要素がソフトウェアで実現されてもよい。
【００３８】
プロセッサ１１，３１とメモリ１２，３２とストレージ１３，３３と処理回路１５とを、総称して「プロセッシングサーキットリー」という。つまり、各機能構成要素の機能は、プロセッシングサーキットリーにより実現される。
【００３９】
実施の形態２．
実施の形態２は、リンク情報８２へのアクセス情報を管理する点が実施の形態１と異なる。実施の形態２では、この異なる点を説明し、同一の点については説明を省略する。
【００４０】
＊＊＊構成の説明＊＊＊
図１８を参照して、実施の形態２に係る管理サーバ１０の構成を説明する。
管理サーバ１０は、機能構成要素としてアクセス表示部２８を備える点と、ストレージ１３がアクセス記憶部１３７の機能を実現する点とが図２に示す管理サーバ１０と異なる。
【００４１】
図１９に示すように、アクセス記憶部１３７には、リンク情報８２毎に、そのリンク情報８２にアクセスした居宅端末３０の端末ＩＤと、アクセスした日時とが記憶される。
【００４２】
＊＊＊動作の説明＊＊＊
図２０から図２１を参照して、実施の形態２に係る住宅管理システム１の動作を説明する。
実施の形態２に係る住宅管理システム１の動作は、実施の形態２に係る管理方法に相当する。また、実施の形態２に係る住宅管理システム１の動作は、実施の形態２に係る管理プログラムの処理に相当する。
実施の形態２に係る住宅管理システム１の動作は、編集処理及び表示処理に加え、履歴参照処理を含む。
【００４３】
図２０を参照して、実施の形態２に係る表示処理を説明する。
ステップＳ３１からステップＳ３３の処理は、図１３に示すステップＳ２１からステップＳ２３の処理と同じである。
【００４４】
（ステップＳ３４：アクセス記憶処理）
サイト表示部２７は、ステップＳ３３で表示されたいずれかのリンク情報８２が選択されると、選択されたリンク情報８２と、ステップＳ２１で送信された表示依頼に含まれる端末ＩＤと、リンク情報８２が選択された日時とを関連付けて、アクセス記憶部１３７に書き込む。
なお、リンク情報８２を選択すると、居宅端末３０は選択されたリンク情報８２が示すアクセス先にアクセスする。アクセス先がウェブサイトである場合には、居宅端末３０は、そのウェブサイトの情報を取得して、表示装置６０に表示する。また、アクセス先がアプリケーションである場合には、居宅端末３０は、そのアプリケーションを取得して起動させる。
【００４５】
図２１を参照して、実施の形態２に係る履歴参照処理を説明する。
ステップＳ４１からステップＳ４２の処理は、図１１のステップＳ１１からステップＳ１２の処理と同じである。
【００４６】
（ステップＳ４３：アクセス表示処理）
アクセス表示部２８は、ステップＳ４２で特定されたリンク情報８２とともに、そのリンク情報８２に関連付けてアクセス記憶部１３７に記憶された端末ＩＤを編集端末７０に表示する。これにより、ステップＳ４１で受け付けられた編集者ＩＤに対して編集権限が与えられたリンク情報８２にアクセスした居宅端末３０の情報が編集端末７０に与えられる。
この際、アクセス表示部２８は、リンク情報８２と、そのリンク情報８２にアクセスした居宅端末３０の端末ＩＤとを、１日又は１週間といった期間毎に集計した上で表示してもよい。
【００４７】
＊＊＊実施の形態２の効果＊＊＊
以上のように、実施の形態２に係る住宅管理システム１では、編集権限が与えられたリンク情報８２に対するアクセス履歴を編集端末７０が取得可能である。そのため、リンク情報８２を管理する企業等で、アクセス結果を分析することが可能である。
【００４８】
＊＊＊他の構成＊＊＊
＜変形例３＞
図２１のステップＳ４３でアクセス表示部２８は、端末ＩＤに代えて、居宅の識別番号を表示するようにしてもよい。居宅の識別番号は、例えば、集合住宅における部屋番号である。
これにより、リンク情報８２を管理する企業等で、どの居宅の利用者がどのリンク情報８２に興味があるかといったことを知ることができる。その結果、その居宅に対して、ダイレクトメール、又は、商品のサンプル等を送付することが可能になる。
【００４９】
＜変形例４＞
アクセス記憶部１３７には、リンク情報８２毎に、１日又は１週間といった期間毎にアクセスされた回数が記憶されてもよい。そして、図２１のステップＳ４３でアクセス表示部２８は、ステップＳ４２で特定されたリンク情報８２毎に、アクセスされた回数を表示してもよい。
【００５０】
実施の形態３．
実施の形態３では、居宅端末３０とペアリングされた外部端末９０にウェブサイト８０を表示する点が実施の形態１，２と異なる。実施の形態３では、この異なる点を説明し、同一の点については説明を省略する。
ここでは、実施の形態１に機能を追加した場合について説明する。しかし、実施の形態３の機能を実施の形態２に追加することも可能である。
【００５１】
居宅端末３０とペアリングされた外部端末９０とは、居宅端末３０による認証を受けた外部端末９０という意味である。例えば、居宅端末３０の端末ＩＤを表示装置６０に表示させ、表示された端末ＩＤを外部端末９０に入力することにより、居宅端末３０と外部端末９０とがペアリングされる。なお、入力された端末ＩＤは外部端末９０に記憶される。実施の形態３では、外部端末９０は、居宅の住人のＰＣ又はスマートフォンを想定する。
【００５２】
＊＊＊動作の説明＊＊＊
図２２を参照して、実施の形態３に係る住宅管理システム１の動作を説明する。
実施の形態３に係る住宅管理システム１の動作は、実施の形態３に係る管理方法に相当する。また、実施の形態３に係る住宅管理システム１の動作は、実施の形態３に係る管理プログラムの処理に相当する。
【００５３】
図２２を参照して、実施の形態３に係る表示処理を説明する。
ステップＳ５２の処理は、図１３のステップＳ２２の処理と同じである。
【００５４】
（ステップＳ５１：依頼受付処理）
依頼受付部２５は、居宅端末３０又は外部端末９０からウェブサイト８０の表示依頼を受け付ける。
具体的には、居宅端末３０又は外部端末９０の利用者が、居宅端末３０又は外部端末９０を操作してウェブサイト８０の表示ボタンを押す。すると、居宅端末３０又は外部端末９０は、表示依頼を管理サーバ１０に送信する。表示依頼には、居宅端末３０自身の端末ＩＤ、又は、ペアリングされた居宅端末３０の端末ＩＤが含まれる。また、表示依頼には、送信元の端末が居宅端末３０であるか外部端末９０であるかを示す種別情報が含まれる。依頼受付部２５は、送信された表示依頼を受け付ける。
【００５５】
（ステップＳ５３：サイト表示処理）
サイト表示部２７は、ステップＳ２２で特定されたカテゴリ８１を示すカテゴリ情報を居宅端末３０又は表示装置６０に送信する。この際、サイト表示部２７は、表示依頼に含まれる種別情報に応じて、形式の異なるカテゴリ情報を送信する。具体的には、サイト表示部２７は、種別情報が居宅端末３０を示す場合には、居宅端末３０に合わせた表示形式のカテゴリ情報を送信し、種別情報が外部端末９０を示す場合には、外部端末９０に合わせた表示形式のカテゴリ情報を送信する。
サイト表示部２７は、リンク情報８２を居宅端末３０又は外部端末９０に送信する場合にも、表示依頼に含まれる種別情報に応じて、形式の異なるリンク情報８２を送信する。
【００５６】
＊＊＊実施の形態３の効果＊＊＊
以上のように、実施の形態３に係る住宅管理システム１では、居宅端末３０とペアリングされた外部端末９０にウェブサイト８０を表示する。この際、管理サーバ１０は、ウェブサイト８０を表示するのが、居宅端末３０であるか外部端末９０であるかに応じた形式の情報を送信する。これにより、端末に応じた形式でウェブサイト８０を表示することが可能である。
【００５７】
＊＊＊他の構成＊＊＊
＜変形例５＞
種別情報は、居宅端末３０であるか外部端末９０であるかだけでなく、外部端末９０である場合にはスマートフォンとＰＣといったどの種類の端末であるかを示してもよい。そして、この場合には、図２２のステップＳ５３でサイト表示部２７は、種別情報が示す端末の種類に応じた形式の情報を表示する。
【００５８】
＜変形例６＞
外部端末９０は、スマートフォン及びＰＣの他に、コミュニティに設置されたデジタルサイネージ端末であってもよい。またインターフォン、タブレット、電子ペーパ、あるいは居宅に設置されたデジタルサイネージ端末であってもよい。
この場合、利用者がデジタルサイネージ端末にログインした上で、利用者の識別子である利用者ＩＤを含む表示依頼を管理サーバ１０に送信する。管理サーバ１０は、利用者ＩＤと端末ＩＤとを対応付けて管理しておき、表示依頼に含まれる利用者ＩＤから端末ＩＤを特定する。
【符号の説明】
【００５９】
１  住宅管理システム、１０  管理サーバ、１１  プロセッサ、１２  メモリ、１３  ストレージ、１４  通信インタフェース、１５  処理回路、２１  識別子受付部、２２  権限判定部、２３  編集対象表示部、２４  ＧＵＩ表示部、２５  依頼受付部、２６  カテゴリ特定部、２７  サイト表示部、３０  居宅端末、５０  ルータ、６０  表示装置、７０  編集端末、８０  ウェブサイト、８１  カテゴリ、８２  リンク情報、８３  組織、８４  グループ、８５  ＧＵＩ画面、９０  外部端末。
【図１】
2018180661.tif 000003
【図２】
2018180661.tif 000004
【図３】
2018180661.tif 000005
【図４】
2018180661.tif 000006
【図５】
2018180661.tif 000007
【図６】
2018180661.tif 000008
【図７】
2018180661.tif 000009
【図８】
2018180661.tif 000010
【図９】
2018180661.tif 000011
【図１０】
2018180661.tif 000012
【図１１】
2018180661.tif 000013
【図１２】
2018180661.tif 000014
【図１３】
2018180661.tif 000015
【図１４】
2018180661.tif 000016
【図１５】
2018180661.tif 000017
【図１６】
2018180661.tif 000018
【図１７】
2018180661.tif 000019
【図１８】
2018180661.tif 000020
【図１９】
2018180661.tif 000021
【図２０】
2018180661.tif 000022
【図２１】
2018180661.tif 000023
【図２２】
2018180661.tif 000024